(57)【要約】【課題】  スライド部材のハウジングからの抜け止めを確実に行うことができるレバー式コネクタを提供する。【解決手段】  レバー式コネクタ１は、コンタクトを有するハウジング２と、相手方コネクタ４０とカム係合すると共にハウジング２に対して初期位置と最終位置との間を移動可能に設けられたスライド部材２０と、ハウジング２に対して回動可能に設けられ、回動によりスライド部材２０を駆動するレバー３０とを具備している。スライド部材２０には、先端に係止突起２５を有する片持ち梁状の弾性アーム２４が設けられる。一方、ハウジング２には、スライド部材２０が初期位置にあるときに係止突起２５が係止される係止凹部１８と、スライド部材２０が移動状態にあるときに係止突起２５が移動可能に係合される係合凹部１９とが設けられる。【選択図】      図１
2006331991.tif 000002
【特許請求の範囲】
【請求項１】
コンタクトを有するハウジングと、相手方コネクタとカム係合すると共に前記ハウジングに対して初期位置と最終位置との間を移動可能に設けられたスライド部材と、前記ハウジングに対して回動可能に設けられ、回動により前記スライド部材を駆動するレバーとを具備したレバー式コネクタにおいて、
前記スライド部材に、先端に係止突起を有する片持ち梁状の弾性アームを設け、前記ハウジングに、前記スライド部材が初期位置にあるときに前記係止突起が係止される係止凹部と、前記スライド部材が移動状態にあるときに前記係止突起が移動可能に係合される係合凹部とを設けたことを特徴とするレバー式コネクタ。
【請求項２】
前記スライド部材の内側に、前記相手コネクタに設けられた鍔付きカム従動子の軸部がカム係合するカム溝を設け、前記スライド部材の外側に、前記鍔付き従動子の鍔部が入り込む段差部を設け、更に、前記スライド部材の外側に、前記弾性アームを配置したことを特徴とする請求項１記載のレバー式コネクタ。
【請求項３】
コンタクトを有するハウジングと、相手方コネクタとカム係合すると共に前記ハウジングに移動可能に設けられたスライド部材と、前記ハウジングに対して軸部を介して回動可能に設けられ、回動により前記スライド部材を駆動するレバーとを具備したレバー式コネクタにおいて、
前記レバーの軸部が、弾性変形可能な片持ち梁状の弾性片に設けられていることを特徴とするレバー式コネクタ。
【発明の詳細な説明】
【技術分野】
【０００１】
本発明は、コネクタ同士の嵌合力を低減させるためのレバー式コネクタに関する。
【背景技術】
【０００２】
従来より、コネクタ同士の嵌合力を低減させるためのレバー式コネクタが提案されている。従来、このレバー式コネクタとして、例えば、図  及び図  に示すものが知られている（特許文献１参照）。図１１は従来のレバー式コネクタの一例の分解斜視図、図１２は図１１のレバー式コネクタを相手コネクタと共に示す斜視図である。
図１１及び図１２において、レバー式コネクタ１０１は、相手コネクタ１４１を受容する複数のキャビティ１１１を有する略矩形形状の絶縁性のハウジング１１０と、ハウジング１１０に設けられた複数のコンタクト（図示せず）と、ハウジング１１０に取り付けられたレバー１２０と、ハウジング１１０に取り付けられた２枚１組のスライド部材１３０とを具備している。
【０００３】
ここで、ハウジング１１０には、レバー１２０を取り付けるためのレバー取付部１１２が設けられている。このレバー取付部１１２は、ハウジング１１０の側壁に沿って延びる二重の壁、即ち内壁１１２ａ及び外壁１１２ｂにより構成されている。レバー取付部１１２の外壁１１２ｂには、円形の孔１１３が穿設されている。この孔１１３には、レバー１２０の回転軸１２３が軸支されるようになっている。また、ハウジング１１０の側壁には、２枚１組のスライド部材１３０を摺動可能に受容する１対の案内溝１１４が形成されている。
【０００４】
また、レバー１２０は、断面略コ字形の絶縁性部材であり、操作部１２１と、操作部１２１の側壁外面の先端部に形成された回転軸１２３と、操作部１２１の側壁内面の先端部に形成されたギヤ１２２とを備えている。レバー１２０の回転軸１２３がハウジング１１０の孔１１３に係合されてレバー１２０はハウジング１１０に対して回転軸１２３を中心に回動可能に軸支される。
【０００５】
更に、各スライド部材１３０は、ハウジング１１０の案内溝１１４に受容可能な略矩形形状の平板で構成され、内面に複数のカム溝１３２を形成すると共に、外面にカム溝１３２と対応する位置にラック１３１を形成している。各スライド部材１３０は、ハウジング１１０の各案内溝１１４内に摺動可能に受容され、各スライド部材１３０のラック１３１にレバー１２０のギヤ１２２が噛合するようになっている。
【０００６】
図１２には、相手コネクタ１４１が挿入される初期状態を示す。この状態では、レバー１２０がハウジング１１０に対して起立し、スライド部材１３０のカム溝１３２がハウジング１１０のキャビティ１１１内で所定位置に位置している。
この状態で、相手コネクタ１４１をハウジング１１０のキャビティ１１１内に挿入すると、相手コネクタ１４１に設けられたボス１４２がスライド部材１３０のカム溝１３２に挿入される。そして、図１２の矢印Ａ方向にレバー１２０を回動させると、スライド部材１３０が矢印Ｂ方向に摺動し、カム溝１３２とボス１４２の協働により相手コネクタ１４１は引き込まれてレバー式コネクタ１０１のハウジング１１０と嵌合する。そして、レバー１２０を最終位置まで回動すると、操作部１２１の端部に形成された爪１２４がハウジング１１０に形成されたラッチアーム１１５の爪１１６に係合して、レバー１２０は最終位置に保持されるのである。
【特許文献１】特開平１０−１３４８８７号公報
【発明の開示】
【発明が解決しようとする課題】
【０００７】
しかしながら、この図１１及び図１２に示す従来のレバー式コネクタ１０１にあっては、以下の問題点があった。
即ち、レバー式コネクタ１０１には、各スライド部材１３０をハウジング１１０の案内溝１１４内に受容した際に、各スライド部材１３０の摺動方向への移動を規制する手段が何ら設けられていない。このため、各スライド部材１３０をハウジング１１０の各案内溝１１４内に受容した後、レバー１２０をハウジング１１０に取り付ける前に、各スライド部材１３０がハウジング１１０から抜け落ちてしまうことがあった。また、レバー１２０をハウジング１１０に取り付けた後であっても、各スライド部材１３０のラック１３１にレバー１２０のギヤ１２２が適切に噛合しないときなどには、各スライド部材１３０がハウジング１１０から抜け落ちてしまうことがあった。
【０００８】
また、レバー１２０をハウジング１１０に組み付けるときには、レバー１２０の回転軸１２３をハウジング１１０の孔１１３に係合するため、断面コ字形操作部１２１の先端側を一旦内側に閉じるように変形させる必要がある。このように操作部１２１を変形させると、操作部１２１の根元の連結部分近傍に過度の力が加わり、破損してしまうおそれがあった。
【０００９】
従って、本発明は上述の問題点に鑑みてなされたものであり、その目的は、スライド部材のハウジングからの抜け止めを確実に行うことができるレバー式コネクタを提供することにある。
また、本発明の他の目的は、レバーのハウジングへの組付け時にレバーが破損するおそれがないレバー式コネクタを提供することにある。
【課題を解決するための手段】
【００１０】
上記問題を解決するため、本発明のうち請求項１に係るレバー式コネクタは、コンタクトを有するハウジングと、相手方コネクタとカム係合すると共に前記ハウジングに対して初期位置と最終位置との間を移動可能に設けられたスライド部材と、前記ハウジングに対して回動可能に設けられ、回動により前記スライド部材を駆動するレバーとを具備したレバー式コネクタにおいて、前記スライド部材に、先端に係止突起を有する片持ち梁状の弾性アームを設け、前記ハウジングに、前記スライド部材が初期位置にあるときに前記係止突起が係止される係止凹部と、前記スライド部材が移動状態にあるときに前記係止突起が移動可能に係合される係合凹部とを設けたことを特徴としている。
【００１１】
また、本発明のうち請求項２に係るレバー式コネクタは、請求項１記載のレバー式コネクタにおいて、前記スライド部材の内側に、前記相手コネクタに設けられた鍔付きカム従動子の軸部がカム係合するカム溝を設け、前記スライド部材の外側に、前記鍔付き従動子の鍔部が入り込む段差部を設け、更に、前記スライド部材の外側に、前記弾性アームを配置したことを特徴としている。
【００１２】
更に、本発明のうち請求項３に係るレバー式コネクタは、コンタクトを有するハウジングと、相手方コネクタとカム係合すると共に前記ハウジングに移動可能に設けられたスライド部材と、前記ハウジングに対して軸部を介して回動可能に設けられ、回動により前記スライド部材を駆動するレバーとを具備したレバー式コネクタにおいて、前記レバーの軸部が、弾性変形可能な片持ち梁状の弾性片に設けられていることを特徴としている。
【発明の効果】
【００１３】
本発明のうち請求項１に係るレバー式コネクタによれば、スライド部材に、先端に係止突起を有する片持ち梁状の弾性アームを設け、ハウジングに、スライド部材が初期位置にあるときに前記係止突起が係止される係止凹部を設けたので、スライド部材が初期位置にあるときに弾性アームの係止突起がハウジングの係止凹部に係止され、スライド部材の移動が規制される。このため、レバーをハウジングに取り付ける前あるいは取付後のいずれにおいても、スライド部材のハウジングからの抜け止めを行うことができる。そして、ハウジングに、スライド部材が移動状態にあるときに前記係止突起が移動可能に係合される係合凹部を設けたので、スライド部材が移動状態にあっても、スライド部材のハウジングからの抜け止めを確実に行うことができると共に、スライド部材の移動が係止突起によって邪魔されることはないものとすることができる。
【００１４】
また、本発明のうち請求項２に係るレバー式コネクタによれば、請求項１記載のレバー式コネクタにおいて、前記スライド部材の内側に、前記相手コネクタに設けられた鍔付きカム従動子の軸部がカム係合するカム溝を設け、前記スライド部材の外側に、前記鍔付き従動子の鍔部が入り込む段差部を設けたので、レバーの回動によるスライド部材の移動によって相手コネクタの挿抜を確実に行うことができると共に、レバーを回動してスライド部材が移動するときにおける、スライド部材の外側への開きを防止することができる。そして、段差部のあるスライド部材の外側に、弾性アームを配置したので、段差部を設けた側のスペースを利用して、弾性アームを設けることができ、レバー式コネクタの幅を小さくすることができる。
【００１５】
更に、本発明のうち請求項３に係るレバー式コネクタによれば、レバーの軸部が、弾性変形可能な片持ち梁状の弾性片に設けられているので、レバーの軸部をハウジングに組み付けるときに、弾性片が弾性変形し、弾性片以外のレバーの部分に過度の力が加わらずにレバーの軸部をハウジングに組付けることができる。このため、レバーが破損するおそれはない。
【発明を実施するための最良の形態】
【００１６】
次に本発明の実施形態を図面を参照して説明する。図１は本発明に係るレバー式コネクタを相手コネクタとともに示す斜視図である。但し、図１においてスライド部材が初期位置に位置している。図２は図１に示すレバー式コネクタの相手コネクタに対する嵌合初期状態を示す斜視図である。図３は図１に示すレバー式コネクタの相手コネクタに対する嵌合途中状態を示し、（Ａ）は右側面図、（Ｂ）は断面図である。図４は図１に示すレバー式コネクタを前方斜め上方から見た斜視図である。図５は図１に示すレバー式コネクタを前方斜め下方から見た斜視図である。図６は図１に示すレバー式コネクタの右側面図である。なお、図１、図２、図４、図５及び図６においては、ワイヤカバーを図示していない。
【００１７】
図１乃至図３に示すように、レバー式コネクタ１と相手コネクタ５０の第１嵌合部５２とが嵌合するようになっている。嵌合方法については後述する。レバー式コネクタ１はその形状から相手コネクタ５０の第１嵌合部５２に嵌合するようになっているが、相手コネクタ５０の第２嵌合部５３には第２嵌合部５３の形状に適合した他の形状のレバー式コネクタが嵌合するようになっている。以下、レバー式コネクタ１が相手コネクタ５０の第１嵌合部５２に嵌合する場合を例にとって説明する。
【００１８】
相手コネクタ５０は、第１嵌合部５２及び第２嵌合部５３を有する相手ハウジング５１を備えている。第１嵌合部５２は、略矩形形状に形成され、その両側面（図１において前側の面と後側の面）には複数対の鍔付きカム従動子５４が突出形成されている。各鍔付きカム従動子５４は、第１嵌合部５２の側面から突出する断面円形状の軸部５４ａと、軸部５４ａの先端に設けられた鍔部５４ｂとを有している。鍔部５４ｂは、軸部５４ａと同心円状に軸部５４ａに対して拡径して形成された半円部と、この半円部に連続する長方形状部とで構成されている。そして、第１嵌合部５２には、複数の金属製の相手コンタクト６１が取り付けられている。また、第２嵌合部５３も、略矩形形状に形成され、その両側面には複数対の鍔付きカム従動子５５が突出形成されている。各鍔付きカム従動子５５は、第２嵌合部５３の側面から突出する断面円形状の軸部５５ａと、軸部５５ａの先端に設けられた鍔部５５ｂとを有している。鍔部５５ｂは、軸部５５ａと同心円状に軸部５５ａに対して拡径して形成された半円部と、この半円部に連続する長方形状部とで構成されている。そして、第２嵌合部５３には、複数の金属製の相手コンタクト６２が取り付けられている。
【００１９】
また、レバー式コネクタ１は、絶縁性のハウジング２と、２枚１組のスライド部材２０と、レバー３０と、ワイヤカバー４０とを具備している。図７は図１に示すレバー式コネクタを構成するハウジングを前方斜め上方から見た斜視図である。図８は図１に示すレバー式コネクタを構成するスライド部材を外面側から見た斜視図である。図９は図１に示すレバー式コネクタを構成するスライド部材を内面側から見た斜視図である。図１０は図１に示すレバー式コネクタを構成するレバーの斜視図である。
【００２０】
ハウジング２は、図１乃至図７に示すように、上面１０ａ、下面１０ｂ、前面１０ｃ、後面１０ｄ、及び１対の側面１０ｅを有する略矩形形状の嵌合部１０と、嵌合部１０の上面１０ａから上方に突出する略矩形形状の突出部１２とを備え、絶縁性の樹脂を成形することによって形成されている。ハウジング２の嵌合部１０には、下面１０ｂ側が開口した相手コネクタ受容キャビティ１１が設けられている。相手コネクタ受容キャビティ１１の上部には、図示しない複数のコンタクトが設置されている。また、嵌合部１０の両側面１０ｅ，１０ｅには、スライド部材２０を受容するための１対のスライド部材受容溝１３が前後方向に延びるように形成されている。各スライド部材受容溝１３は、嵌合部１０の前面１０ｃにおいて開口している。そして、各スライド部材受容溝１３の側面には、嵌合部１０の内部に設けられた相手コネクタ受容キャビティ１１に対して連通する第１開口１４が形成されている。また、嵌合部１０の上面１０ａには、各スライド部材受容溝１３に対して連通する１対の第２開口１５が形成されている。更に、嵌合部１０の下面１０ｂには、各スライド部材受容溝１３に対して連通する複数対の第３開口１６が形成されている。また、突出部１２の両側面には、１対の軸用孔１７が穿設されている。
【００２１】
また、ハウジング２の突出部１２には、図３に示すように、ワイヤカバー４０が取り付けられている。このワイヤカバー４０の頂部には、レバー３０を最終位置において固定するための係止部４１が設けられている。そして、各コンタクトに接続された電線（図示せず）が突出部１２及びワイヤカバー４０を介して外部に導出されるようになっている。
【００２２】
また、２枚１組のスライド部材２０は、嵌合部１０の両側面１０ｅに設けられた１対のスライド部材受容溝１３内にハウジング２の前側から挿入され、ハウジング２に対して図２に示す初期位置と図３の一点鎖線で示す最終位置との間を移動可能に設けられている。２枚１組のスライド部材２０は、対称形状に形成されている。そして、各スライド部材２０は、絶縁性の樹脂を成形することによって構成され、図１乃至図６、図８及び図９に示すように、ハウジング２の各スライド部材受容溝１３内に受容可能な略矩形形状を有している。各スライド部材２０の上端面には、所定長さにわたるラック２１が形成されている。ラック２１は、各スライド部材２０が各スライド部材受容溝１３内に受容されてハウジング２に対して初期位置と最終位置との間を移動するときに、少なくとも一部がハウジング２の第２開口１５に臨む位置に形成される。また、各スライド部材２０の内側、即ち相手コネクタ受容キャビティ１１に面する側には、相手コネクタ５０の第１嵌合部５２に設けられた鍔付きカム従動子５４の軸部５４ａがカム係合する複数のカム溝２２が設けられている。各カム溝２２は、スライド部材２０が初期位置にあるときに鍔付きカム従動子５４の軸部５４ａが位置する導入口２２ａと、この導入口２２ａに連続し、スライド部材２０が移動状態にあるときに鍔付きカム従動子５４の軸部５４ａが位置するカム部２２ｂと、このカム部２２ｂに連続し、スライド部材２０が最終位置にあるときにカム従動子５４の軸部５４ａが位置する終端部２２ｃとを具備している。各導入口２２ａは、図５によく示すように、スライド部材２０が初期位置にあるときにハウジング２に設けられた第３開口１６と整列する位置に設けられる。また、各スライド部材２０の外側には、鍔付き従動子５４の鍔部５４ｂが入り込む段差部２３が設けられている。段差部２３は、カム溝２２の外側においてカム溝２２から径が拡大する方向に拡がるように形成されている。
【００２３】
また、各スライド部材２０の外側には、先端に係止突起２５を有する片持ち梁状の弾性アーム２４が設けられている。弾性アーム２４は、各スライド部材２０の後側よりの部分を固定端として各スライド部材２０の下縁にほぼ沿うように後方から前方に向けて延びている。そして、ハウジング２の嵌合部１０には、スライド部材２０が初期位置にあるときに係止突起２５が係止される係止凹部１８と、係止凹部１８の後側に配置され、スライド部材２０が移動状態にあるときに係止突起２５が移動可能に係合される係合凹部１９とが設けられている。
【００２４】
更に、レバー３０は、図１乃至図６及び図１０に示すように、１対の脚部３１と、脚部３１の後端を連結する連結部３２とを備えた断面略コ字形に形成され、絶縁性の樹脂を成形することによって形成されている。そして、レバー３０の各脚部３１の前端側には、内方及び外方に向けて弾性変形可能な片持ち梁状の弾性片３３が設けられ、この弾性片３３の前端には図１０に示すように内方に向けて突出する軸部３４が設けられている。レバー３０の１対の軸部３４は、ハウジング２の突出部１２の両側面に穿設された１対の１対の軸用孔１７に両外側から嵌入されて軸支され、レバー３０がハウジング２の突出部１２に対して軸部１７を中心として回動可能となっている。また、レバー３０の各脚部３１の前端には、嵌合部１０に受容されたスライド部材２０のラック２１に第２開口１５を介して噛合するギヤ３５が設けられている。レバー３０を初期位置から最終位置まで回動すると、ギヤ３５とラック２１の協働によりスライド部材２０が初期位置から最終位置まで移動するようになっている。なお、レバー３０の連結部３２には、レバー３０を最終位置において固定するための係止突起３７を有する係止アーム３６が設けられている。
【００２５】
次に、レバー式コネクタ１の組立方法について説明する。
レバー式コネクタ１を組み立てるには、先ず、ハウジング２の嵌合部１０に複数のコンタクトを取り付けた状態で、２枚１組のスライド部材２０を、それらの後側を先頭にして嵌合部１０の両側面１０ｅに設けられた１対のスライド部材受容溝１３内にハウジング２の前側から挿入する。すると、図１に示すように、弾性アーム２４に設けられた係止突起２５がハウジング２に設けられた係止凹部１８に係止され、スライド部材２０の移動が規制されて、スライド部材２０が初期位置に位置する。この状態では、スライド部材２０の移動が規制されているので、スライド部材２０のハウジング２からの抜け止めがなされ、スライド部材２０がハウジング２から抜け落ちることはない。即ち、この状態では、レバー３０をハウジング２に取り付ける前であるが、スライド部材２０のハウジング２からの抜け止めを行うことができる。スライド部材２０が初期位置に位置すると、図５に示すように、各導入口２２ａがハウジング２に設けられた第３開口１６と整列する。
【００２６】
次いで、ワイヤカバー４０をハウジング２の突出部１２に取り付け、各コンタクトに接続された電線を外部に導出する。
次に、レバー３０の１対の軸部３４を、ワイヤカバー４０の両側面上を沿わせつつ１対の軸用孔１７に嵌入し、レバー３０をハウジング２に軸支する。ここで、１対の軸部３４がワイヤカバー４０の両側面上を沿って移動しているときには、各軸部３４が設けられている弾性片３３が固定端を中心に外方に向けて弾性変形し、１対の軸部３４が１対の軸用孔１７に嵌入するときには、外方に向けて弾性変形した各弾性片３３が元の位置に復帰し、軸部３４が軸用孔１７に嵌入する。このため、弾性片３３以外のレバー３０の部分に過度の力が加わらずにレバー３０の軸部３４をハウジングに組付けることができ、レバー３０が破損するおそれはない。
【００２７】
このように、レバー３０をハウジング２に組付けると、レバー３０は、図１に示す初期位置に位置し、レバー式コネクタ１の組立が完了する。レバー３０が初期位置にあるときには、レバー３０のギヤ３５が、ハウジング２の第２開口１５を介してスライド部材２０のラック２１に噛合する。なお、レバー３０をハウジング２に取り付けた後においても、弾性アーム２４に設けられた係止突起２５がハウジング２に設けられた係止凹部１８に係止されており、スライド部材２０がハウジング２から抜け落ちることはない。
【００２８】
次に、レバー式コネクタ１と相手コネクタ４０の第１嵌合部５２との嵌合方法について説明する。
前述したように、レバー式コネクタ１の組立が完了したときには、図１に示すように、スライド部材２０が初期位置に位置する。そして、図１の矢印Ａ方向にレバー式コネクタ１を移動して相手コネクタ４０の第１嵌合部５２を相手コネクタ受容キャビティ１１内に受容すると、図２に示す嵌合初期状態となる。この嵌合初期状態では、レバー３０及びスライド部材２０が初期位置に位置し、第１嵌合部５２の鍔付きカム従動子５４の軸部５４ａが、ハウジング２の第３開口１６を通過してスライド部材２０にあるカム溝２２の導入口２２ａのところに位置する。
【００２９】
そして、レバー３０を、初期位置から図２の矢印Ｂ方向に回動すると、図３（Ａ）、（Ｂ）に示すように、レバー３０に設けられたギヤ３５とスライド部材２１に設けられたラック２１との協働により、スライド部材２０が図２の矢印Ｃ方向、即ち前から後方向に移動し、これにともなって鍔付きカム従動子５４の軸部５４ａがカム溝２２のカム部２２ｂ内に引き込まれ、レバー式コネクタ１の第１嵌合部５２に対する嵌合状態が進行する。スライド部材２０が矢印Ｃ方向に移動するときには、ハウジング２の係止凹部１８に係止されていた弾性アーム２４の係止突起２５が、係合凹部１９内に移動可能に係合される。この際に、弾性アーム２４の先端に設けられた係止突起２５が、係止凹部１８と係合凹部１９との境界に設けられた壁部の前面に形成された傾斜面１８ａに沿いつつ一旦外方に変位することによって弾性アーム２４が一旦外方に向けて弾性変形し、そして、係止突起２５が前記壁部を乗り越えて前記壁部の後面に形成された傾斜面１９ａに沿いつつ内方に変位することによって弾性アーム２４が元の位置に復元する。このように、ハウジング２の係止凹部１８に係止されていた弾性アーム２４の係止突起２５が、係合凹部１９内に移動可能に係合されるので、スライド部材２０が移動状態にあっても、スライド部材２０のハウジング２からの抜け止めを確実に行うことができると共に、スライド部材２０の移動が係止突起１８によって邪魔されることはないものとすることができる。
【００３０】
そして、レバー３０を図３（Ａ）、（Ｂ）の一点鎖線で示す最終位置まで回動すると、スライド部材２０も一点鎖線で示す最終位置まで移動し、これにともなって鍔付きカム従動子５４の軸部５４ａがカム溝２２の終端部２２ｃ内に引き込まれ、レバー式コネクタ１の第１嵌合部５２に対する嵌合最終状態となる。これにより、レバー式コネクタ１のコンタクト（図示せず）と第１嵌合部５２に設けられたコンタクト６１とが接触し、電気的に導通することになる。レバー３０を図３（Ａ）、（Ｂ）の一点鎖線で示す最終位置まで回動すると、レバー３０の係止突起３７がワイヤカバー４０に設けられた係止部４１に係止され、レバー３０が最終位置に保持される。
【００３１】
一方、レバー３０を図３（Ａ）、（Ｂ）の一点鎖線で示す最終位置から図２に示す初期位置まで回動すると、スライド部材２０が前述の動作と逆の動作をし、レバー式コネクタ１の第１嵌合部５２に対する嵌合状態が解除され、レバー式コネクタ１が第１嵌合部５２から抜去される。
なお、スライド部材２０の外側には、鍔付き従動子５４の鍔部５４ｂが入り込む段差部２３が設けられており、スライド部材２０が初期位置に位置するとき、移動状態にあるとき、及び最終位置に位置するときのいずれの場合にあっても、鍔付き従動子５４の鍔部５４ｂがスライド部材２０の外側に設けられた段差部２３に入り込む。このため、レバー３０を回動してスライド部材２０が移動するときにおける、スライド部材２０の外側への開きを防止することができる。
【００３２】
そして、段差部２３のあるスライド部材２０の外側に、先端に係止突起２５のある弾性アーム２４が配置されている。このため、段差部２３を設けた側のスペースを利用して、弾性アーム２４を設けることができ、レバー式コネクタ１の幅、即ち嵌合部１０の両側面１０ｅ，１０ｅを跨ぐ左右方向のレバー式コネクタ１の幅を小さくすることができる。
以上、本発明の実施形態について説明してきたが、本発明はこれに限定されずに種々の変更、改良を行うことができる。
【００３３】
例えば、スライド部材２０は、少なくとも１枚設ければよく、２枚１組設けなくてもよい。
また、弾性アーム２４は、スライド部材２０のいずれかの部分に設けられればよく、スライド部材２０の外側に設ける必要は必ずしもない。そして、弾性アーム２４は、各スライド部材２０の後側よりの部分を固定端として各スライド部材２０の下縁にほぼ沿うように後方から前方に向けて延びている必要はない。
【００３４】
更に、係止凹部１８と係合凹部１９との位置関係は、係止凹部１８をスライド部材２０が初期位置にあるときに係止突起２５が係止される位置とし、係合凹部１９をスライド部材２０が移動状態にあるときに係止突起２５が移動可能に係合される位置とするものであれば、係止凹部１８を前側に配置し、係合凹部１９を後側に配置するものに限られない。
【図面の簡単な説明】
【００３５】
【図１】本発明に係るレバー式コネクタを相手コネクタとともに示す斜視図である。但し、図１においてスライド部材が初期位置に位置している。
【図２】図１に示すレバー式コネクタの相手コネクタに対する嵌合初期状態を示す斜視図である。
【図３】図１に示すレバー式コネクタの相手コネクタに対する嵌合途中状態を示し、（Ａ）は右側面図、（Ｂ）は断面図である。
【図４】図１に示すレバー式コネクタを前方斜め上方から見た斜視図である。
【図５】図１に示すレバー式コネクタを前方斜め下方から見た斜視図である。
【図６】図１に示すレバー式コネクタの右側面図である。
【図７】図１に示すレバー式コネクタを構成するハウジングを前方斜め上方から見た斜視図である。
【図８】図１に示すレバー式コネクタを構成するスライド部材を外面側から見た斜視図である。
【図９】図１に示すレバー式コネクタを構成するスライド部材を内面側から見た斜視図である。
【図１０】図１に示すレバー式コネクタを構成するレバーの斜視図である。
【図１１】従来のレバー式コネクタの一例の分解斜視図である。
【図１２】図１１のレバー式コネクタを相手コネクタと共に示す斜視図である。
【符号の説明】
【００３６】
１  レバー式コネクタ
２  ハウジング
１８  係止凹部
１９  係合凹部
２０  スライド部材
２２  カム溝
２３  段差部
２４  弾性アーム
２５  係止突起
３０  レバー
３３  弾性片
３４  軸部
４０  相手コネクタ
５４，５５  鍔付きカム従動子
５４ａ，５５ａ  軸部
５４ｂ、５５ｂ  鍔部
【図１】
2006331991.tif 000003
【図２】
2006331991.tif 000004
【図３】
2006331991.tif 000005
【図４】
2006331991.tif 000006
【図５】
2006331991.tif 000007
【図６】
2006331991.tif 000008
【図７】
2006331991.tif 000009
【図８】
2006331991.tif 000010
【図９】
2006331991.tif 000011
【図１０】
2006331991.tif 000012
【図１１】
2006331991.tif 000013
【図１２】
2006331991.tif 000014
【手続補正書】
【提出日】平成17年11月7日(2005.11.7)
【手続補正１】
【補正対象書類名】明細書
【補正対象項目名】０００２
【補正方法】変更
【補正の内容】
【０００２】
従来より、コネクタ同士の嵌合力を低減させるためのレバー式コネクタが提案されている。従来、このレバー式コネクタとして、例えば、図１１及び図１２に示すものが知られている(特許文献１参照）。図１１は従来のレバー式コネクタの一例の分解斜視図、図１２は図１１のレバー式コネクタを相手コネクタと共に示す斜視図である。
図１１及び図１２において、レバー式コネクタ１０１は、相手コネクタ１４１を受容する複数のキャビティ１１１を有する略矩形形状の絶縁性のハウジング１１０と、ハウジング１１０に設けられた複数のコンタクト(図示せず）と、ハウジング１１０に取り付けられたレバー１２０と、ハウジング１１０に取り付けられた２枚１組のスライド部材１３０とを具備している。